(57)【特許請求の範囲】
【請求項１】
建物壁とかポール等の固定物に固定される底壁と、その底壁から立設する周壁とを備え、内部に機器を収容する空間を有するとともに、その空間の前記底壁とは反対側が開放されて開口部となる、本体と、
前記周壁の先端よりも前記底壁とは反対側に位置する天壁と、その天壁から前記周壁の先端を越えて前記底壁側へ延びる延設壁とを備えるとともに、前記開口部を自在に開閉するように前記本体に一側で回動可能に連結される、蓋体とを、
有する配電函であって、
前記本体の前記周壁には、前記開口部を前記蓋体で閉じた状態において、その周壁の先端から前記延設壁の先端を越えて前記底壁側へ延びて、除去することによりケーブルを引き出すためのケーブル引出口が形成される、第１のノックアウト部が設けられ、
前記蓋体の前記延設壁には、前記開口部を閉じた状態において、その延設壁の先端から前記周壁の先端を越えて前記天壁側へ延びて、除去することによりケーブルを引き出すためのケーブル引出口が形成される、第２のノックアウト部が設けられ、
前記第１のノックアウト部と前記第２のノックアウト部は、前記両ケーブル引出口が同一方向に前記ケーブルを引き出す位置に形成されている、配電函。
【請求項２】
前記第２のノックアウト部は、前記天壁側に前記延設壁を残すように形成される、請求項１に記載の配電函。
【請求項３】
前記第１のノックアウト部と前記第２のノックアウト部とは、一部が重なるように位置する、請求項１または２に記載の配電函。
【請求項４】
前記第１のノックアウト部と前記第２のノックアウト部とは、前記周壁と前記延設壁との重なる部分において、一方のノックアウト部の全体が他方のノックアウト部と重なるように形成される、請求項３に記載の配電函。
【請求項５】
前記周壁は、方形枠状であって、その方形枠を構成する周壁上部片に屋根が設けられ、または前記周壁上部片に屋根を取付け固定するために、前記周壁には、前記屋根に係合する屋根係合部が設けられ、かつ、
前記周壁は、その方形枠を構成する周壁下部片に、前記第１のノックアウト部が形成され、
前記延設壁は、前記周壁と対応するように方形枠状であって、その方形枠を構成する延設壁下部片に、前記第２のノックアウト部が形成される、請求項１ないし４のいずれか１項に記載の配電函。
【発明の詳細な説明】
【技術分野】
【０００１】
この発明は、ケーブル引出し用のノックアウト部が形成された配電函に関するものである。
【背景技術】
【０００２】
従来、配電函は、図１５に示すように、開口部を有して機器が収容される本体１１と、前記開口部を閉じる蓋体１２とから構成されていた（例えば、特許文献１参照）。ここで、蓋体１２は、開閉操作時等の強度の観点から、断面コ字状に形成されて、本体１１における周壁１１ａの先端部分を含めて前記開口部に被せられた。そして、本体１１には、周壁１１ａに、その周壁１１ａの先端から延びるノックアウト部１１ｂが形成されていた。
【先行技術文献】
【特許文献】
【０００３】
【特許文献１】特開２００４−２２９４６４号公報
【発明の概要】
【発明が解決しようとする課題】
【０００４】
ところで、前記従来の配電函にあっては、ノックアウト部１１ｂを打ち抜いて形成されるケーブル引出口は、周壁１１ａの先端側が、外側に被せられる蓋体１２によって閉鎖されるため、剛性のあるケーブルの場合、そのケーブルを引出口に合わせるとともに引出口内に移動させるように押え込みながら蓋体１２を閉める必要があった。そして、この押え込みにより、ケーブルは、相当に屈曲して負荷のかかった状態となった。
【０００５】
この発明は、上記した従来の欠点を解決するためになされたものであり、その目的とするところは、ケーブルにかかる負荷を低減することができる配電函を提供することにある。
【課題を解決するための手段】
【０００６】
この発明に係る配電函は、前記目的を達成するために、次の構成からなる。すなわち、
請求項１に記載の発明に係る配電函は、本体と蓋体とを有する。本体は、建物壁とかポール等の固定物に固定される底壁と、その底壁から立設する周壁とを備え、内部に機器を収容する空間を有するとともに、その空間の前記底壁とは反対側が開放されて開口部となっている。蓋体は、前記周壁の先端よりも前記底壁とは反対側に位置する天壁と、その天壁から前記周壁の先端を越えて前記底壁側へ延びる延設壁とを備えるとともに、前記開口部を自在に開閉するように前記本体に一側で回動可能に連結されている。ここにおいて、前記本体の前記周壁には、前記開口部を前記蓋体で閉じた状態において、その周壁の先端から前記延設壁の先端を越えて前記底壁側へ延びて、除去することによりケーブルを引き出すためのケーブル引出口が形成される、第１のノックアウト部が設けられる。そして、前記蓋体の前記延設壁には、前記開口部を閉じた状態において、その延設壁の先端から前記周壁の先端を越えて前記天壁側へ延びて、除去することによりケーブルを引き出すためのケーブル引出口が形成される、第２のノックアウト部が設けられる。ここで、前記第１のノックアウト部と前記第２のノックアウト部は、前記両ケーブル引出口が同一方向に前記ケーブルを引き出す位置に形成されている。
【０００７】
この配電函によると、本体には、その周壁の先端から延びる第１のノックアウト部が設けられており、この第１のノックアウト部を除去することにより、ケーブル引出口が形成される。そして、蓋体には、その延設壁の先端から延びる第２のノックアウト部が設けられており、この第２のノックアウト部を除去することにより、ケーブル引出口が形成される。ここで、本体側の第１のノックアウト部と蓋体側の第２のノックアウト部は、両ケーブル引出口が、同一方向にケーブルを引き出す位置に形成されており、状況に応じて、これら第１のノックアウト部と第２のノックアウト部とのいずれか一方または両方を除去することで、同一方向でのケーブルの引出し位置を選択することができる。特に、蓋体側の第２のノックアウト部は、本体側の第１のノックアウト部よりも底壁から離れた位置にあり、この蓋体側の第２のノックアウト部を除去したケーブル引出口を用いることで、剛性のあるケーブルであっても、ケーブルをそれほど押え込む必要がない。
【０００８】
また、請求項２に記載の発明に係る配電函は、請求項１に記載の配電函において、前記第２のノックアウト部は、前記天壁側に前記延設壁を残すように形成される。これにより、第２のノックアウト部を除去してケーブル引出口を形成した際に、ケーブル引出口と天壁との間に延設壁が残り、この蓋体の強度の低下を抑えることができる。
【０００９】
また、請求項３に記載の発明に係る配電函は、請求項１または２に記載の配電函において、前記第１のノックアウト部と前記第２のノックアウト部とは、一部が重なるように位置する。これにより、第１のノックアウト部と第２のノックアウト部とを除去すると、形成されるケーブル引出口が互いに連通し、その連通した両ケーブル引出口の任意の位置で、ケーブルを引き出すことができる。
【００１０】
また、請求項４に記載の発明に係る配電函は、請求項３に記載の配電函において、前記第１のノックアウト部と前記第２のノックアウト部とは、前記周壁と前記延設壁との重なる部分において、一方のノックアウト部の全体が他方のノックアウト部と重なるように形成される。
【００１１】
また、請求項５に記載の発明に係る配電函は、請求項１ないし４のいずれか１項に記載の配電函において、前記周壁は、方形枠状であって、その方形枠を構成する周壁上部片に屋根が設けられ、または前記周壁上部片に屋根を取付け固定するために、前記周壁には、前記屋根に係合する屋根係合部が設けられ、かつ、前記周壁は、その方形枠を構成する周壁下部片に、前記第１のノックアウト部が形成される。そして、前記延設壁は、前記周壁と対応するように方形枠状であって、その方形枠を構成する延設壁下部片に、前記第２のノックアウト部が形成される。
【発明の効果】
【００１２】
この発明に係る配電函によれば、状況に応じて、本体側の第１のノックアウト部と蓋体側の第２のノックアウト部とのいずれか一方または両方を除去することで、同一方向でのケーブルの引出し位置を選択することができる。特に、底壁から離れた位置にある、蓋体側の第２のノックアウト部を除去したケーブル引出口を用いることで、剛性のあるケーブルであっても、ケーブルをそれほど押え込む必要がなく、これにより、ケーブルにかかる負荷を低減することができる。
【図面の簡単な説明】
【００１３】
【図１】この発明の一実施の形態の、蓋体を閉めた状態の斜視図である。
【図２】同じく、蓋体を開いた状態の斜視図である。
【図３】同じく、図１におけるＡ矢視図である。
【図４】同じく、図３におけるＢ−Ｂ線による断面図である。
【図５】同じく、図３において第１のノックアウト部を除去してケーブル引出口を形成した状態を示す図である。
【図６】同じく、図５におけるＣ−Ｃ線による断面図である。
【図７】同じく、図３において第２のノックアウト部を除去してケーブル引出口を形成した状態を示す図である。
【図８】同じく、図７におけるＤ−Ｄ線による断面図である。
【図９】同じく、図３において第１および第２のノックアウト部を除去してケーブル引出口を形成した状態を示す図である。
【図１０】同じく、図９におけるＥ−Ｅ線による断面図である。
【図１１】この発明の他の実施の形態の、図３相当図である。
【図１２】この発明のさらに他の実施の形態の、図３相当図である。
【図１３】この発明の変形例を示す、図３相当図である。
【図１４】同じく、図１３において、第２のノックアウト部と第３のノックアウト部を除去してケーブル引出し口を形成した状態を示す図である。
【図１５】従来の配電函の一部断面図である。
【発明を実施するための形態】
【００１４】
以下、この発明に係る配電函を実施するための形態を図面に基づいて説明する。
【００１５】
図１〜図１０は、本発明の一実施の形態を示す。図中符号１は、配電函である。この配電函１は、主に屋外に仮設あるいは常設されて、ブレーカーとかコンセントとかの配線器具や、ブースター等、その他の機器を収容する函であって、本体２と蓋体３とを有する。
【００１６】
ここで、本体２は、建物壁とかポール等の固定物に固定される底壁２ａと、その底壁２ａから立設する周壁２ｂとを備え、内部に機器を収容する空間を有するとともに、その空間の底壁２ａとは反対側が開放されて開口部２ｃとなっている。蓋体３は、本体２における周壁２ｂの先端よりも底壁２ａとは反対側に位置する天壁３ａと、その天壁３ａから周壁２ｂの先端を越えて底壁２ａ側へ延びる延設壁３ｂとを備える。そして、蓋体３は、本体２における開口部２ｃを自在に開閉するように、本体２に一側で回動可能に連結される（図３参照）。
【００１７】
そして、本体２における周壁２ｂには、開口部２ｃを蓋体３で閉じた状態において、その周壁２ｂの先端から蓋体３における延設壁３ｂの先端を越えて底壁２ａ側へ延びて、除去することによりケーブルを引き出すためのケーブル引出口２ｄが形成される、第１のノックアウト部２ｅが設けられる。同様に、蓋体３における延設壁３ｂには、本体２の開口部２ｃを閉じた状態において、その延設壁３ｂの先端から本体２における周壁２ｂの先端を越えて天壁３ａ側へ延びて、除去することによりケーブルを引き出すためのケーブル引出口３ｃが形成される、第２のノックアウト部３ｄが設けられる。ここで、本体２側の第１のノックアウト部２ｅと蓋体３側の第２のノックアウト部３ｄは、両ケーブル引出口２ｄ、３ｃが同一方向にケーブルを引き出す位置に形成されている。つまり、第１のノックアウト部２ｅと第２のノックアウト部３ｄとの板面は、同一方向を向いている。
【００１８】
具体的には、この配電函１は、略直方体形状をしており、前記底壁２ａおよび天壁３ａが鉛直面を形成する向きで配備される。そこで、本体２においては、周壁２ｂは、方形枠状（詳しくは、長方形枠状）となっており、その方形枠（詳しくは、長方形枠）を構成する周壁上部片２ｆに屋根（図示せず）を取付け固定するために、周壁２ｂ（詳しくは、方形枠を構成する周壁側部片２ｇ、２ｇの上部部分）には、前記屋根に係合する屋根係合部２ｈ、２ｈが設けられる。そして、周壁２ｂは、その方形枠を構成する周壁下部片２ｉに、前記第１のノックアウト部２ｅが形成される。同様に、蓋体３において、延設壁３ｂは、周壁２ｂと対応するように方形枠状（詳しくは、長方形枠状）となっており、その方形枠（詳しくは、長方形枠）を構成する延設壁下部片３ｅに、前記第２のノックアウト部３ｄが形成される。
【００１９】
詳細には、第１のノックアウト部２ｅは、底壁２ａ側に周壁２ｂを残すように形成される。同様に、第２のノックアウト部３ｄは、天壁３ａ側に延設壁３ｂを残すように形成される。また、第１のノックアウト部２ｅと第２のノックアウト部３ｄとは、一部が重なるように位置する。ここにおいて、特に、第１のノックアウト部２ｅと第２のノックアウト部３ｄとは、周壁２ｂと延設壁３ｂとの重なる部分において、一方のノックアウト部（図示実施の形態においては、第１のノックアウト部２ｅ）の全体が他方のノックアウト部（図示実施の形態においては、第２のノックアウト部３ｄ）と重なるように形成される（図３参照）。
【００２０】
より詳細には、第１のノックアウト部２ｅは、横長の矩形形状をしており、周壁２ｂには、そのノックアウト部２ｅを囲むようにリブ２ｊが形成されている。そして、この第１のノックアウト部２ｅは、その除去が容易となるよう、ノックアウト部２ｅの周縁および中央に、断続するスリット２ｋが形成されている。第２のノックアウト部３ｄは、第１のノックアウト部２ｅと同様に、横長の矩形形状をしているが、延設壁３ｂの周方向において、第１のノックアウト部２ｅよりも若干長く形成されている。そして、この第２のノックアウト部３ｄは、その除去が容易となるよう、内面側において、ノックアウト部３ｄの周縁に、溝３ｆが形成されている。
【００２１】
また、本体２には、第１のノックアウト部２ｅの他に、周壁２ｂ（詳しくは、周壁下部片２ｉ）に、円形形状のノックアウト部２ｍが設けられている。そして、図示を省略するが、底壁２ａにも、ノックアウト部が設けられる。さらに、図示を省略するが、この底壁２ａには、前記固定物に固定するための、固定孔が、適宜位置に設けられる。
【００２２】
また、蓋体３における延設壁３ｂは、本体２における周壁２ｂと重なる部分が、外側に膨出した膨出部３ｇとなっており、その膨出部３ｇの内側における段部３ｈまで、周壁２ｂの先端が進入することとなる。
【００２３】
ところで、本体２の前記周壁側部片２ｇと、蓋体３の延設壁３ｂにおける方形枠を構成する延設壁側部片３ｉとは、ヒンジ４で繋がっており、これにより、蓋体３は、本体２に一側で回動可能に連結される。そして、このヒンジ４とは反対側において、周壁２ｂ（詳しくは、周壁側部片２ｇ）には、係止部２ｎが設けられ、延設壁３ｂ（詳しくは、延設壁側部片３ｉ）には、被係止部３ｊが設けられており（図２参照）、蓋体３により本体２の開口部２ｃを閉じた際に、係止部２ｎが被係止部３ｊを係止することで、その閉じた状態が保持される。図示実施の形態においては、係止部２ｎは、凸状部からなり、被係止部３ｊは、その凸状部に掛かる爪からなるが、反対に、被係止部３ｊが凸状部からなり係止部２ｎが爪からなっていてもよく、また、その他の形状あるいは構造を有していても構わない。
【００２４】
次に、以上の構成からなる配電函１の作用効果について説明する。この配電函１によると、本体２には、その周壁２ｂ（詳しくは、周壁下部片２ｉ）の先端から延びる第１のノックアウト部２ｅが設けられており、この第１のノックアウト部２ｅを除去することにより、その除去した部分にケーブル引出口２ｄが形成される（図５、６、および図９、１０参照）。そして、蓋体３には、その延設壁３ｂ（詳しくは、延設壁下部片３ｅ）の先端から延びる第２のノックアウト部３ｄが設けられており、この第２のノックアウト部３ｄを除去することにより、その除去した部分にケーブル引出口３ｃが形成される（図７、８、および図９、１０参照）。ここで、本体２側の第１のノックアウト部２ｅと蓋体３側の第２のノックアウト部３ｄは、両ケーブル引出口２ｄ、３ｃが、同一方向（詳しくは、下方向）にケーブルを引き出す位置に形成されており、状況に応じて、これら第１のノックアウト部２ｅと第２のノックアウト部３ｄとのいずれか一方または両方を除去することで、同一方向（下方向）でのケーブルの引出し位置を選択することができる。特に、蓋体３側の第２のノックアウト部３ｄは、本体２側の第１のノックアウト部２ｅよりも底壁２ａから離れた位置にあり、この蓋体３側の第２のノックアウト部３ｄを除去したケーブル引出口３ｃを用いることで、剛性のある（つまり、硬い）ケーブルであっても、ケーブルをそれほど押え込む必要がなく、これにより、ケーブルにかかる負荷を低減することができる。また、柔らかいケーブルの場合には、第１のノックアウト部２ｅと第２のノックアウト部３ｄとのどちらのケーブ引出口２ｄ、３ｃを用いてもよいが、第１のノックアウト部２ｅを除去したケーブル引出口２ｄを用いれば、前記固定物に近い位置で、ケーブルを引き出すことができる。
【００２５】
また、本体２における第１のノックアウト部２ｅは、底壁２ａ側に周壁２ｂを残すように形成されており、これにより、第１のノックアウト部２ｅを除去してケーブル引出口２ｄを形成した際に、ケーブル引出口２ｄと底壁２ａとの間に周壁２ｂが残り、この本体２の強度の低下を抑えることができる。同様にして、蓋体３における第２のノックアウト部３ｄは、天壁３ａ側に延設壁３ｂを残すように形成されており、これにより、第２のノックアウト部３ｄを除去してケーブル引出口３ｃを形成した際に、ケーブル引出口３ｃと天壁３ａとの間に延設壁３ｂが残り、この蓋体３の強度の低下を抑えることができる。
【００２６】
また、第１のノックアウト部２ｅと第２のノックアウト部３ｄとは、一部が重なるように位置しており、第１のノックアウト部２ｅと第２のノックアウト部３ｄとの両方を除去すると、形成されるケーブル引出口２ｄ、３ｃが互いに連通し、その連通した両ケーブル引出口２ｄ、３ｃの任意の位置で、ケーブルを引き出すことができる。
【００２７】
なお、本発明は、上述した実施の形態に限定されるわけではなく、その他種々の変更が可能である。例えば、本体２に設けられた第１のノックアウト部２ｅと蓋体３に設けられた第２のノックアウト部３ｄとは、周壁２ｂと延設壁３ｂとの重なる部分において、一方のノックアウト部（図示実施の形態においては、第１のノックアウト部２ｅ）の全体が他方のノックアウト部（図示実施の形態においては、第２のノックアウト部３ｄ）と重なるように形成されているが、図１１に示すように、周壁２ｂと延設壁３ｂとの重なる部分において、第１のノックアウト部２ｅの一部が第２のノックアウト部３ｄの一部と重なるように形成されてもよい。さらに、図１２に示すように、第１のノックアウト部２ｅと第２のノックアウト部３ｄとが、周壁２ｂとか延設壁３ｂの周方向にずれることで、互いに重なることのないように形成されても構わない。
【００２８】
また、図１３に示すように、第１のノックアウト部２ｅと第２のノックアウト部３ｄとが、一部が重なるように位置する場合において、本体２の第１のノックアウト部２ｅを、周壁２ｂの先端から蓋体３における延設壁３ｂの先端を越えない範囲で形成される第３のノックアウト部２ｘと、それ以外の第４のノックアウト部２ｙとに分離してもよい。そこで、図１４に示すように、蓋体３の第２のノックアウト部３ｄの他に、前記第３および第４のノックアウト部２ｘ、２ｙのうちの第３のノックアウト部２ｘを除去すると、蓋体３のケーブル引出し口３ｃの一部が、本体２の周壁２ｂによって閉鎖されるのを緩和して、そのケーブル引出し口３ｃを広く使用することができる。このことは、図１１に示す例においても同様である。また、図１２に示す例のような、第１のノックアウト部２ｅと第２のノックアウト部３ｄとが、互いに重なることのない場合には、本体２に、第１のノックアウト部２ｅとは別に、第２のノックアウト部３ｄと重なる部分に、上述したような第３のノックアウト部２ｘを設けてもよい。
【００２９】
また、第１のノックアウト部２ｅと第２のノックアウト部３ｄは、周壁下部片２ｉと延設壁下部片３ｅに設けられるのが望ましいが、状況によっては、周壁下部片２ｉおよび延設壁下部片３ｅに代えて、あるいは、それら下部片２ｉ、３ｅとともに、周壁側部片２ｇと延設壁側部片３ｉに設けられたり、また、周壁上部片２ｆと延設壁３ｂにおける方形枠を構成する延設壁上部片３ｋに設けられたりしてもよい。
【００３０】
また、本体２と蓋体３とを連結するヒンジ４は、周壁側部片２ｇと延設壁側部片３ｉとの間に設けられなくとも、周壁上部片２ｆと延設壁上部片３ｋとの間に設けられてもよく、周壁下部片２ｉと延設壁下部片３ｅとの間に設けられてもよい。
【００３１】
また、本体２において、周壁２ｂには、屋根に係合する屋根係合部２ｈが設けられて、屋根を後から取付け固定する構造となっているが、始めから、周壁上部片２ｆに屋根が、別体あるいは一体となって設けられていてもよい。
【００３２】
また、蓋体３には、段部３ｈが設けられているが、この段部３ｈは、省略してもよい。
【符号の説明】
【００３３】
１  配電函
２  本体
２ａ  底壁
２ｂ  周壁
２ｃ  開口部
２ｄ  ケーブル引出口
２ｅ  第１のノックアウト部
２ｆ  周壁上部片
２ｈ  屋根係合部
２ｉ  周壁下部片
３  蓋体
３ａ  天壁
３ｂ  延設壁
３ｃ  ケーブル引出口
３ｄ  第２のノックアウト部
３ｅ  延設壁下部片
【図１】
0005514515.tif 000002
【図２】
0005514515.tif 000003
【図３】
0005514515.tif 000004
【図４】
0005514515.tif 000005
【図５】
0005514515.tif 000006
【図６】
0005514515.tif 000007
【図７】
0005514515.tif 000008
【図８】
0005514515.tif 000009
【図９】
0005514515.tif 000010
【図１０】
0005514515.tif 000011
【図１１】
0005514515.tif 000012
【図１２】
0005514515.tif 000013
【図１３】
0005514515.tif 000014
【図１４】
0005514515.tif 000015
【図１５】
0005514515.tif 000016